(57)【要約】【課題】函体が地震などによって震動しても安定したシール性を得ることができるとともに、継手同士の干渉による破損を防止すること。【解決手段】ゴム輪のシール部が一方の継手と他方の継手との対向面間に圧入介在するとともに、ゴム輪の舌片部が一方の継手の先端面と他方の継手の段差面との間に介在するように雄型継手と雌型継手とをインロー嵌合した。【選択図】図１
0003167133.tif 000002
【実用新案登録請求の範囲】
【請求項１】
函体の雄型継手と雌型継手とをインロー嵌合させるとともに、雄型継手と雌型継手のうち一方の継手にゴム輪を取り付け、インロー嵌合部の隙間にゴム輪を介在させる函体の継手構造であって、
前記ゴム輪は、前記一方の継手の対向面に取り付け可能なシール部と、
前記シール部と一体に形成され、前記一方の継手の先端面に取り付け可能な舌片部とを備え、
前記舌片部を、前記シール部に対して断続的又は連続的に形成し、
前記ゴム輪のシール部が前記一方の継手と他方の継手との対向面間に圧入介在するとともに、前記ゴム輪の舌片部が前記一方の継手の先端面と他方の継手の段差面との間に介在するように雄型継手と雌型継手とをインロー嵌合したことを特徴とする、
函体の継手構造。
【請求項２】
前記ゴム輪のシール部及び舌片部のうち、少なくとも一つが一方の継手に接着により取り付けてあることを特徴とする、請求項１に記載の函体の継手構造。
【請求項３】
前記ゴム輪のシール部及び舌片部のうち、少なくとも一つが一方の継手と一体成形することにより取り付けてあることを特徴とする、請求項１に記載の函体の継手構造。
【請求項４】
前記雄型継手及び雌型継手の対向面のうち少なくとも一つの面が、函体の軸先方向と平行に形成したことを特徴とする、請求項１乃至３の何れかに記載の函体の継手構造。
【考案の詳細な説明】
【技術分野】
【０００１】
本考案は、ボックスカルバートなどの函体（円管や角管等の管体、箱体、筒体などを含む）であって、インロー嵌合可能に構成する雄型継手と雌型継手との間にゴム輪が介在する函体の継手構造に関するものである。
【背景技術】
【０００２】
従来のインロー嵌合可能に構成した函体に用いるシール部材は、ゴム輪などの弾性体を雄型（或いは雌型）の対向面に周回して取付け、当該雄型継手と雌型継手を圧入嵌合し、前記圧接されたゴム輪によって止水性を確保している。
【先行技術文献】
【特許文献】
【０００３】
【特許文献１】特開２００５−０５４８８３号公報
【考案の概要】
【考案が解決しようとする課題】
【０００４】
従来のゴム輪は、継手の対向面の先端により近い位置に設ければ設けるほどゴム輪の出入り長さを長く確保する事ができるため、地震などの震動によって函体の継手同士の移動が大きい場合であってもシール性を確保することができる。
しかし、反対にゴム輪の移動量は大きいため、ゴム輪が受ける押圧力と引張力によってゴム輪が捲れたり破損しやすく、加えてゴム輪の基部周辺のコンクリートはゴム輪が受ける押圧力と引張力に対する反力が不足するため、外力に抵抗できずに、コンクリートが欠けたりゴム輪が外れたりするいといった問題を抱えている。
【０００５】
また、雄型継手と雌型継手の対向面間は、ゴム輪の介在により互いが干渉して破損するおそれは少ないものの、一方の継手の先端面と他方の継手の段差面については、地震などの震動によって互いが干渉してしまい、継手の破損の原因となっている。
【０００６】
従って、本考案は、ボックスカルバートなどの函体が地震などによって震動しても安定したシール性を得ることができるとともに、継手同士の干渉による破損を防止し、継手からの捲れ、捻れ、それらに伴う破損が少ない、函体の継手構造を提供することを目的とする。
【課題を解決するための手段】
【０００７】
そこで、上記目的を達成するためになされた本願の第１考案は、函体の雄型継手と雌型継手とをインロー嵌合させるとともに、雄型継手と雌型継手のうち一方の継手にゴム輪を取り付け、インロー嵌合部の隙間にゴム輪を介在させる函体の継手構造であって、前記ゴム輪は、前記一方の継手の対向面に取り付け可能なシール部と、前記シール部と一体に形成され、前記一方の継手の先端面に取り付け可能な舌片部とを備え、前記舌片部を、前記シール部に対して断続的又は連続的に形成し、前記ゴム輪のシール部が前記一方の継手と他方の継手との対向面間に圧入介在するとともに、前記ゴム輪の舌片部が前記一方の継手の先端面と他方の継手の段差面との間に介在するように雄型継手と雌型継手とをインロー嵌合したことを特徴とするものである。
また、本願の第２考案は、前記ゴム輪のシール部及び舌片部のうち、少なくとも一つが一方の継手に接着により取り付けてあることを特徴とするものである。
また、本願の第３考案は、前記ゴム輪のシール部及び舌片部のうち、少なくとも一つが一方の継手と一体成形することにより取り付けてあることを特徴とするものである。
また、本願の第４考案は、前記雄型継手及び雌型継手の対向面のうち少なくとも一つの面が、函体の軸先方向と平行に形成したことを特徴とするものである。
【考案の効果】
【０００８】
本考案は、次の効果を同時に得ることができる。
【０００９】
（１）クッション性の向上
雄型継手と雌型継手のうち一方の継手の先端面と他方の継手の段差面との間に、本考案に係るゴム輪の舌片部が介在してクッション材となるため、継手同士の干渉による継手端部の破損を防止することができる。
【００１０】
（２）シール性の向上
ゴム輪のシール部が嵌入時や地震などの震動によって押圧力や引張力を受けても、ゴム輪の舌片部が外力に抵抗するため、シール部の捲れや、捻れ、それらに伴う破損を防止することができて、シール性が向上する。
【００１１】
特に、シール部を継手の先端面近傍に配置することにより、シール部の出入り長さを長く確保することができるから、規模の大きい震動に対しても、シール性を維持することができる。
【図面の簡単な説明】
【００１２】
【図１】本考案の実施例１における雄型継手の断面図。
【図２】図１におけるゴム輪１の取付周辺の拡大図。
【図３】本考案の実施例１における継手構造の嵌合途中の断面図。
【図４】本考案の実施例１における継手構造の嵌合後の断面図。
【図５】本考案の実施例１における継手構造の振動発生時の状態を示す断面図。
【図６】本考案の第２実施例における雄型継手の部分斜視図。
【図７】本考案の第３実施例における雄型継手の断面図。
【図８】本考案の第４実施例における雄型継手の断面図。
【考案を実施するための形態】
【００１３】
以下、図面を参照しながら本考案の実施の形態について説明する。
【実施例１】
【００１４】
＜１＞全体構成
図１は、ゴム輪１が雄型継手４に取り付けられている時の断面図であり、図２は、図１におけるゴム輪１の取付周辺の拡大図である。
はじめに函体の雄型継手４と雌型継手５について説明する。本実施例では、函体の内側に凸部を設けた継手を雄型継手４、函体の外側に凸部を設けた継手を雌型継手５と定義する。本考案では、ゴム輪を雄型継手４にも、雌型継手５にも取り付けることができるから、図示した実施例に限定されるものではない。
また、雄型継手４及び雌型継手５は、図１に示すように、インロー嵌合を可能とするための対向面４１と５１、先端面４２と５２及び段差面４３と５３によって構成される。
【００１５】
なお、対向面４１及び５１は、少なくとも一方或いは両方が函体の軸先方向に対して平行に形成しておく。
【００１６】
＜２＞ゴム輪１
本実施例では、インロー嵌合可能に構成した函体の雄型継手４と雌型継手５のうち雄型継手４にゴム輪１を取り付けて、前記雄型継手４と雌型継手５との間に介在する。
ゴム輪１は、前記雄型継手４の対向面４１に取り付け可能に構成したシール部２と、前記シール部２と一体に形成され、前記雄型継手４の先端面４２に取り付け可能に構成した舌片部３を少なくとも具備する。以下に、各部材を説明する。
【００１７】
＜３＞シール部２
シール部２は、前記雄型継手４の対向面４１に取り付けられる基部２１と、基部２１の上方に設けて前記雌型継手５の対向面５１に圧接するように形成するリップ部２２とを有する。
前記基部２１の下方は、雄型継手４の成型後に接着剤などの周知の接合方法によって取付け可能とし、前記リップ部２２は、嵌合時に雌型継手５の対向面５１と圧接可能に構成する。具体的には、前記対向面５１に接する面に切り溝を設けた従来知られる形態を用いる。
【００１８】
＜４＞舌片部３
舌片部３は、前記シール部２の基部２１の一方の側から、下方に垂れ下がるように形成し、ゴム輪１の取付時に雄型継手４の先端面４２に接着剤などの周知の接合方法によって取り付け可能に構成する。
【００１９】
舌片部３の長さＨ1は特に限定するものではないが、前記先端面４２から函体の内部にはみ出さない程度に、先端面４２の長さＨ0より小さくすることが一般的である。
【００２０】
また、舌片部３の厚さＴ1は、函体の雌雄嵌合時の先端面４２と段差面５３との間に施工時に予め設ける間隙の幅と略同等の厚さとする。
【００２１】
［継手嵌合時の作用］
次に、本実施例に係るゴム輪１を取り付けた雄型継手４を雌型継手５に圧入嵌合する際のゴム輪１の作用について説明する。
図３はゴム輪１を取り付けた雄型継手４と雌型継手５との嵌合途中における断面図である。
図３を参照すると、雄型継手４に取り付けられたゴム輪１のリップ部２２を雌型継手５の対向面５１に圧接しながら嵌合することにより、当該シール部２が雄型継手４の段差面４３の方向に引っ張られる。この際、シール部２が受ける引張力に対して、先端面４２に取り付けられた舌片部３が抵抗することにより、シール部２の捲れや捻れが拘束される。したがって、シール部２の捲れや捻れに伴う破損が生じることなく、確実に対向面４１、５１間を水封止することができる。
【００２２】
［継手構造］
次に、ゴム輪１を取り付けた雄型継手４を雌型継手５に圧入嵌合後の構造を説明する。
図４は、本実施例に係るゴム輪１を取り付けた雄型継手４と雌型継手５が圧入嵌合したときの継手構造を示す断面図である。
図４を参照すると、ゴム輪１の舌片部３が雄型継手４の先端面４２と、雌型継手５の段差面５３の間に介在するため、クッション材として機能する。
したがって、雄型継手４と雌型継手５との間の干渉による継手端部の破損を防止することができる。
【００２３】
また、対向面４１に取り付けられたシール部２を先端面４２の近傍まで前方に移動して配置しているため、雄型継手４と雌型継手５との間の水平方向への移動に対して、シール部２が水封止可能な出入り長さＬをより長く確保することができるほか、上述した舌片部３によってシール部２が補強されるため、圧入嵌合時においてもゴム輪１が捲れたり捻れたりすることはない。
【００２４】
図５に、雄型継手４と雌型継手５との間にずれが生じた場合の継手構造の状態を示す断面図を示す。
地震などによって函体が振動した場合であっても、シール部２が水封止可能な出入り長さＬの分だけ継手間のずれを許容することができるため、地震などの震動に対して、より高いシール性を得ることができる。
【００２５】
本発明は舌片部３付きのゴム輪１を用いることにより、シール部２の出入り長さが確保できることと、圧入嵌合時におけるシール部２の補強という２つの課題を同時に解決してシール性を向上することができるとともに、継手同士の干渉による継手端部の破損を防止することができる。
【実施例２】
【００２６】
図６に、本考案の第２実施例の斜視図を示す。
ゴム輪１にかかる舌片部３は、函体の雄型継手４に対して全周設けなくてもよく、図６のように周回方向に対して、部分的或いは断続的に設けてもよい。
舌片部３の配置は、雄型継手４の周回軌跡のうち直線部分の場所に設けるほうが、ゴム輪１の製造面、施工面から望ましい。
【００２７】
図７に、本考案の第３実施例の断面図を示す。
図７に示す雄型継手４は、対向面４１と先端面４２との交差部分に新たに溝部４４を設けてあり、当該溝部４４にゴム輪１の基部２１を取り付けて構成してある。
このとき、雄型継手４のシール部２が受ける圧入嵌合時の外力に対して、舌片部３と溝部４４の側面４４１が付着力によって抵抗するほか、雄型継手４の抜き出し時に受ける外力に対しては、前記溝部４４の側面４４１が抵抗するため、よりシール部２を強固に補強することができ、シール性を高めることができる。
また、雄型継手４の溝部４４を雄型継手４の周回方向に対して部分的に設けてある場合には、溝部４４の配置形状に合わせるように、ゴム輪１の基部２１の厚さを夫々変更するように構成してもよい。
【実施例３】
【００２８】
図８に、本考案の第４実施例の断面図を示す。
図８に示すように、ゴム輪１は、当該ゴム輪１の基部２１の下方にアンカ部２１１を設けてもよい。前記アンカ部２１１を雄型継手４の成型時に埋め込んで一体化することにより、より強固にゴム輪１を固定することができ、シール性の向上を図ることができる。また、アンカ部２１１は、雄型継手４の周回方向に対して部分的或いは断続的に設けてもよい。
【符号の説明】
【００２９】
１：ゴム輪
２：シール部
２１：基部
２１１：アンカ部
２２：リップ部
３：舌片部
４：雄型継手
５：雌型継手
４１、５１：対向面
４２、５２：先端面
４３、５３：段差面
４４：溝部
４４１：側面
【図１】
0003167133.tif 000003
【図２】
0003167133.tif 000004
【図３】
0003167133.tif 000005
【図４】
0003167133.tif 000006
【図５】
0003167133.tif 000007
【図６】
0003167133.tif 000008
【図７】
0003167133.tif 000009
【図８】
0003167133.tif 000010